(57)【要約】【課題】  短時間の待ち時間ですみ、プリクラに親しんだ利用者にも満足してもらえる遊び心に富んだ人形キットが作製できる、人形キット販売機を提供する。【解決手段】  撮像装置２と、口、鼻のみを設けた顔型５と、眉パターン、目パターンとを有し、撮像画像に基づいて、顔型、眉パターン、目パターンを自動選択する選択手段と、選択された顔型に眉パターン、目パターンを配置した画像を表示するディスプレイ１と、その画像上で変更を加える変更手段と、顔人形画像にしたがって顔型を取り出し、その顔型に眉パターン、目パターンのみを印刷する印刷装置４と、髪型６と、胴体衣装部７と、印刷された顔型と購入者に選択された髪型と胴体衣装部とを袋に入れ提供するパッケージ部３２とを備える。【選択図】        図１
2004362540.tif 000002
【特許請求の範囲】
【請求項１】
人形キットの作製および提供の工程を制御するマイクロコンピュータと、
顔を撮像する撮像装置と、
予め複数に類型化され、口もとおよび鼻のみが設けられ、取り出し自由に類型ごとに収納容器に収納された立体形状の顔型と、
予め複数に類型化され、前記マイクロコンピュータに記憶された眉パターンおよび目パターンと、
前記撮像装置に撮像された顔画像に基づいて所定の選択基準にしたがって、前記顔型から１つ、また前記眉パターンおよび目パターンからそれぞれ一揃いを自動選択する選択手段と、
前記選択手段に選択され、前記１つの顔型に前記一揃いの眉パターンおよび目パターンを所定の配置基準で配置する眉目配置手段と、
前記選択手段による選択および前記眉目配置手段による配置にしたがって、顔型に眉パターンおよび目パターンが付された顔人形を表示するディスプレイと、
前記ディスプレイに表示された画像上において、その顔人形の、顔型、眉パターンおよび目パターンの変更ならびに眉パターンおよび目パターンの位置の変更、のうちの少なくとも１つの変更を行なう変更手段と、
確認され決定された前記顔人形における顔型を前記収納容器から自動的に取り出し、その顔型に、前記ディスプレイに表示された顔人形画像にしたがって眉パターンおよび目パターンのみを印刷する装置と、
予め複数に類型化されて、類型ごとに取り出し自由に収納された髪型と、
予め複数に類型化されて、類型ごとに取り出し自由に収納された胴体衣装部と、
これら髪型と胴体衣装部とを購入者が選択する購入者選択手段と、
前記印刷がなされた顔人形とともに、これら選択された髪型と胴体衣装部とを袋に入れ、提供口に提供するパッケージ装置とを備える、人形キット販売機。
【請求項２】
人形キットの作製および提供の工程を制御するマイクロコンピュータと、
顔を撮像する撮像装置と、
予め複数に類型化され、口もとおよび鼻のみが設けられ、表層部において隣り合う層の色が異なる多層構造を有し、取り出し自由に類型ごとに収納容器に収納された立体形状の顔型と、
予め複数に類型化され、前記マイクロコンピュータに記憶された眉パターンおよび目パターンと、
前記撮像装置に撮像された顔画像に基づいて所定の選択基準にしたがって、前記顔型から１つ、また前記眉パターンおよび目パターンからそれぞれ一揃いを自動選択する選択手段と、
前記選択手段に選択され、前記１つの顔型に前記一揃いの眉パターンおよび目パターンを所定の配置基準で配置する眉目配置手段と、
前記選択手段による選択および前記眉目配置手段による配置にしたがって、顔型に眉パターンおよび目パターンが付された顔人形を表示するディスプレイと、
前記ディスプレイに表示された画像上において、その顔人形の、顔型、眉パターンおよび目パターンの変更ならびに眉パターンおよび目パターンの位置の変更、のうちの少なくとも１つの変更を行なう変更手段と、
確認され決定された前記顔人形における顔型を前記収納容器から自動的に取り出し、その顔型に、前記ディスプレイに表示された顔人形画像にしたがって眉パターンおよび目パターンが表出されるように前記表層部の多層構造を削り出す装置と、
予め複数に類型化されて、類型ごとに取り出し自由に収納された髪型と、
予め複数に類型化されて、類型ごとに取り出し自由に収納された胴体衣装部と、
これら髪型と胴体衣装部とを購入者が選択する購入者選択手段と、
前記眉パターンおよび目パターンが削り出された顔人形とともに、これら選択された髪型と胴体衣装部とを袋に入れ、提供口に提供するパッケージ装置とを備える、人形キット販売機。
【請求項３】
前記顔型の多層構造部が、最も内側の白色部と、その白色部を覆う黒色層と、その黒色層を覆う肌色層とからなる、請求項２に記載の人形キット販売機。
【請求項４】
前記表層部に接して前記顔型の眉の部分を含めて眉部分付近のみを覆う黒色層を有する、請求項２または３に記載の人形キット販売機。
【請求項５】
前記ディスプレイにおいて、前記顔型に前記眉パターンおよび目パターンが配置された顔人形に対して前記髪型と胴体衣装部とが装着された人形の画像が表示され、前記変更手段は、さらに前記髪型および胴体衣装部の少なくとも１つを含めて変更する、請求項１〜４のいずれかに記載の人形キット販売機。
【発明の詳細な説明】
【技術分野】
【０００１】
本発明は人形キット販売機に関し、より具体的には購入者の顔を類型化して近似した顔人形、髪型および胴体衣装部を人形キットとして提供する人形キット販売機に関するものである。
【背景技術】
【０００２】
従来より、プリクラ、すなわち背景、服装、髪型を選び利用者の顔を撮影して、その中に嵌め込み、それをシールとして用いる楽しみ方が知られている。このプリクラはあくまで写真であり、２次元の絵における楽しみ方である。２次元であるので、３分間自動写真撮影装置などと同様に、駅やショッピングセンタなどに設置されて、若者たちや家族づれに多く利用されている。
【０００３】
同様の趣向を立体的な人形に適用する場合には、３次元的な造形が必要になるので複雑な機構を必要とする。このため、高性能パソコンやマイコンを組み込んで、複雑な顔の構造を、実物画像に基づき、写実性を追及する所定の基準にしたがってマイコン等で自動的に簡単に形成するシステムが開示されてきた（たとえば、特許文献１参照）。この場合、構造が付されていない顔に、眉、目、鼻、口もとなどを、電子データに取り込んだ購入者の顔画像に基づいて、写実的に似顔絵を描くようにインクジェットプリンタ、機械式打刻等により印刷を行なう。
【特許文献１】特開２００１−２４３５３８号公報
【発明の開示】
【発明が解決しようとする課題】
【０００４】
しかしながら、上記のようにマイコン等を用いて眉、目、鼻、口もとなど顔の構成をすべて印刷する場合、待ち時間を要し、より短い待ち時間とすることが若者たちに受け入れられやすい。しかも、そこから提供される、上記写実性を追及して目、鼻、口などを入れられた人形が、プリクラに慣れ親しんだ若者たちの遊び心を満足できるものか疑わしい。
【０００５】
本発明は、待ち時間を短縮することができ、プリクラに親しんだ利用者の遊び心を満たすことができる人形キットを作製し販売する、人形キット販売機を提供することを目的とする。
【課題を解決するための手段】
【０００６】
本発明の人形キット販売機は、人形キットの作製および提供の工程を制御するマイクロコンピュータと、顔を撮像する撮像装置と、予め複数に類型化され、口もとおよび鼻のみが印刷され、取り出し自由に類型ごとに収納容器に収納された立体形状の顔型と、予め複数に類型化され、マイクロコンピュータに記憶された眉パターンおよび目パターンとを備える。また、この人形キットは、撮像装置に撮像された顔画像に基づいて所定の選択基準にしたがって、顔型から１つ、また眉パターンおよび目パターンからそれぞれ一揃いを自動選択する選択手段と、選択手段に選択され、１つの顔型に一揃いの眉パターンおよび目パターンを所定の配置基準で配置する眉目配置手段とを備える。また、上記の選択手段に選択され、眉目配置手段で配置されて、顔型に眉パターンおよび目パターンの付された顔人形を表示するディスプレイを備える。さらに、ディスプレイに表示された画像上において、その顔人形の、顔型、眉パターンおよび目パターンの変更ならびに眉パターンおよび目パターンの位置の変更、のうちの少なくとも１つの変更を行なう変更手段と、確認され決定された顔型人形における顔型を自動的に取り出し、その顔型に、ディスプレイに表示された顔人形画像にしたがって眉パターンおよび目パターンのみを印刷する装置とを備える。さらに、予め複数に類型化されて、類型ごとに取り出し自由に収納された髪型と、予め複数に類型化されて、類型ごとに取り出し自由に収納された胴体衣装部と、これら髪型と胴体衣装部とを購入者が選択する購入者選択手段と、印刷され形成された顔人形とともに、これら選択された髪型と胴体衣装部とを袋に入れ、提供口に提供するパッケージ装置とを備える。
【０００７】
上記の類型化された顔型は、すでに、口もとおよび鼻が描かれた立体形状の顔型である。この発明の基本思想は、人間の顔の類似性は眉および目の相違によって大きな影響を受け、その他の部分、たとえば口もとや鼻は大まかな分類にしたがってさえいれば相違を際立たせない、という独自の見解に基づいている。そして、さらに従来の考え方と相違する点は、ディスプレイに表示される顔人形を形成する顔型および眉パターン、目パターンはいずれも類型化されたものである。したがって、印刷は購入者の顔の実物画像に基いて印刷するのではなく、類型化された上記の顔人形の画像に基づいて印刷を行なう。このため、個人によって千差万別の要因などに左右されず、類型化された画面上の顔人形の要部のみを印刷する。上記要部とは、顔のすべての構成ではなく、眉目のみをさす。このため、印刷時間は大幅に短縮することができる。また、眉および目のみをディスプレイ上の類型化した画像にしたがって印刷するので、印刷装置は非常に簡単な小型のものですますことができる。このため、この人形キット販売機を安価に製造することができる。
【０００８】
また、髪型や胴体衣装部を購入者に選択させることにより、遊びの趣向を広げることができる。すなわち、男子の顔に女子の髪型を配置したり、その逆も行なうことができる。その結果、プリクラと同じように奇抜な組み合わせを追求することができるが、人形キットの場合は、さらに、自らこれら部材を組み上げる作業を行なう必要があり、遊び心をさらに刺激することができる。
【０００９】
なお、眼がねをかけた購入者の場合には、上記の目パターン、眉パターンに加えて眼がねパターンを加える。眼がねパターンの扱いは、目パターンおよび眉パターンと同列に扱ってもよいし、別途、眼がね選択手段などを設け、データベースの眼がねパターンを表示して、その中から購入者が選択してもよい。
【００１０】
上記の人形キット販売機は、購買者がディスプレイの画面を確認して、類似性を追求して別の眉、目パターン、顔型の選択をしたり、眉、目パターンを配置基準からずらして配置したりする変更をすることができる。また、髪型や衣装について触れたように、類似性の追求はほどほどにして、顔人形についても、ディスプレイ上で遊び心を満たすようにデフォルメを追求して、上記の変更をすることもできる。このため、顔人形の表情は、自分の顔と類似している符合性と、自分の顔との非類似性または意外性とを有することになる。このため、上記のスピードだけでなく、購入者が参加して、類似性のみを単調に追求するだけでなく楽しみ方の幅を広げ、プリクラの利用者層を満足させることができる。
【００１１】
上記のマイクロコンピュータは、通常はパソコンにより構成されるが、その他のマイコンであってもよい。パソコンまたはマイコンには、コンパクトディスク（ＣＤ）が搭載される。そのＣＤは、データとして、予め類型化されて記憶された複数の眉パターンおよび目パターンと、複数の類型化された顔型の正面図とを備える。また、上記のコンパクトディスクは、処理ソフトとして、撮像装置に撮像された画像に基づいて所定の選択基準にしたがって、顔型から１つを、眉パターンおよび目パターンからそれぞれ一揃いを自動選択する自動選択ソフトと、上記の選択手段に選択され、１つの顔型に一揃いの眉パターンおよび目パターンを所定の配置基準で配置する眉目配置ソフトとを備える。また、処理ソフトとして、ディスプレイに表示された画像上において、上記変更を行なう変更ソフトを備えることができる。また、ディスプレイに表示された顔人形を確認し決定して、その決定された顔人形における顔型を収納容器から取り出す際の駆動制御を行なう取出ソフトや、顔人形画像に合わせて印刷する印刷ソフトも備えている。さらに、髪型や胴体衣装部の取り出しや、これらのパッケージについても制御用のソフトを備えている。
【００１２】
本発明の別の人形キット販売機は、人形キットの作製および提供の工程を制御するマイクロコンピュータと、顔を撮像する撮像装置と、予め複数に類型化され、口もとおよび鼻のみが設けられ、表層部において隣り合う層の色が異なる多層構造を有し、取り出し自由に類型ごとに収納容器に収納された立体形状の顔型と、予め複数に類型化され、前記マイクロコンピュータに記憶された眉パターンおよび目パターンとを有する。また、この人形キット販売機は、撮像装置に撮像された顔画像に基づいて所定の選択基準にしたがって、顔型から１つ、また眉パターンおよび目パターンからそれぞれ一揃いを自動選択する選択手段と、選択手段に選択され、１つの顔型に一揃いの眉パターンおよび目パターンを所定の配置基準で配置する眉目配置手段とを有する。また、上記の選択手段による選択および前記眉目配置手段による配置にしたがって、顔型に眉パターンおよび目パターンが付された顔人形を表示するディスプレイを有する。さらに、ディスプレイに表示された画像上において、その顔人形の、顔型、眉パターンおよび目パターンの変更ならびに眉パターンおよび目パターンの位置の変更、のうちの少なくとも１つの変更を行なう変更手段と、確認され決定された前記顔人形における顔型を前記収納容器から自動的に取り出し、その顔型に、前記ディスプレイに表示された顔人形画像にしたがって眉パターンおよび目パターンが表出されるように前記表層部の多層構造を削り出す装置とを有する。さらに、予め複数に類型化されて、類型ごとに取り出し自由に収納された髪型と、予め複数に類型化されて、類型ごとに取り出し自由に収納された胴体衣装部と、これら髪型と胴体衣装部とを購入者が選択する購入者選択手段と、眉パターンおよび目パターンが削り出された顔人形とともに、これら選択された髪型と胴体衣装部とを袋に入れ、提供口に提供するパッケージ装置とを備える。
【００１３】
上記の構成によれば、多層構造を削り出すことによって眉、目のパターンを思い通りに表すことができる。このため、インクや溶剤を用いないので、インクによるにじみや不完全乾燥インクによる他の部材との接触部における印刷部形状の変形、損傷などを防止することができる。また、インクを用いた場合の半密封空間における発火または引火のおそれをなくすことができる。さらに溶剤などを用いないので目詰まりなどの故障や、インクの補給などの、メンテナンスが不要となり維持費用を低減することができる。
【００１４】
上記の表層部の多層構造を削り出す装置を有する人形キット販売機では、顔型の多層構造部が、最も内側の白色部と、その白色部を覆う黒色層と、その黒色層を覆う肌色層とからなるようにしてもよい（３）。
【００１５】
この構成により、眉および目以外の部分は肌色なので削り出す必要がなく、削り出しによって目パターンの黒目や白目の部分を簡単に形成することができる。
【００１６】
上記の表層部に接して顔型の眉の部分を含めて眉部分付近のみを覆う黒色層を有してもよい（４）。
【００１７】
この構成により、眉パターンを簡単に削り出すことができる。
【００１８】
上記の人形キット販売機では、ディスプレイ上に、顔型に眉パターンおよび目パターンが配置された顔人形に対して髪型と胴体衣装部とが装着された人形の画像が表示され、上記の変更手段は、さらに髪型および胴体衣装部の少なくとも１つを含めて変更してもよい。
【００１９】
上記の構成により、顔人形に髪型と胴体衣装部とを組み合わせた顔人形を一度ディスプレイで見て、髪型と胴体衣装部とを変更することができる。この結果、組合せの奇抜さなどを比較しながら購入者は納得する人形キットを得ることができる。
【発明を実施するための最良の形態】
【００２０】
次に図面を用いて本発明の実施の形態について説明する。
（実施の形態１）
図１は、本発明の実施の形態１における人形キット販売機を示す図である。販売機本体１０ａにディスプレイ１が嵌め込まれており、そのディスプレイ１の上に撮像装置２の対物レンズなどが配置されている。また、ディスプレイ１の下方には人形キットの提供口１１が設けられている。販売機本体１０ａの前方には、所定の空間をおいて垂れ幕１０ｂが設けられている。
【００２１】
人形キットを購入する購入者は、撮像の際のバックとなる垂れ幕１０ｂをあけ、販売機本体１０ａに嵌め込まれたディスプレイ１の前に立つ。販売機本体１０ａは、購入者が立ったことを察知して、対価の支払いを促す文字表示などをディスプレイ上に表示する。購入者は、本人の意思に基づいて、図示していないコインおよび／または紙幣装入口に所定の対価を支払う。この対価の支払いにより、この人形キット販売機が動作をスタートさせる。パソコン３上の処理ソフトは、必要に応じてディスプレイ１上に、購入者の選択を必要とする場合の選択肢を表示することができる。購入者はその選択肢部分にタッチすることにより選択をすることができる。
【００２２】
販売機本体１０ａの前方には、上述のようにディスプレイ１と撮像装置２が設けられ、これらとデータの受渡しをする配線によりパソコン３がこれらに接続されている。パソコン３には、後で説明するデータベースおよび処理ソフトを搭載したＣＤ（コンパクトディスク）１８が装入されている。
【００２３】
販売機本体１０ａには、類型化された顔型５を類型ごとに収納した顔型収納容器１５と、類型化された髪型６を類型ごとに収納した髪型収納容器１６と、類型化された胴体衣装部７を類型化して収納した胴体衣装部収納容器１７とが設けられている。顔型収納容器１５の下部には顔型分別取出装置２５が、髪型収納容器１６の下部には髪型分別取出装置２６が、また胴体衣装部収納容器１７の下部には胴体衣装部分別取出装置２７が、それぞれ配置されている。これらの分別取出装置は、それぞれパソコン３に連結されており、選択信号にしたがって所定の分別取り出しを行なう。
【００２４】
印刷装置４は、上記顔型分別取出装置の近くに位置し、選択手段を構成する選択ソフトにより選択され、取り出し手段を構成する取出ソフトにより制御され駆動された上記顔型分別取出装置により取り出された顔型５に対して、ディスプレイ上の顔人形画像に合うように印刷する。上記のように、顔型に目パターンと眉パターンとが印刷されて形成された顔人形は、パッケージ装置３２に搬送される。ディスプレイ上で購入者によって選択された髪型６および胴体衣装部７は、それぞれの分別取出装置２６，２７により取り出されて、やはりパッケージ装置３２に送られる。これら顔人形と、髪型と、胴体衣装部とは１つの袋に詰められ、封をされた後、パッケージ装置３２から傾斜部３１に放出され、提供口１１にもたらされる。
【００２５】
次に、本発明の背景をなす基本的な考え方について詳しく説明する。図２は、立体形状の各種の顔型５を示す正面図である。この顔型５には目と眉とがない。それは、上述のように、人間の顔の類似性は眉および目の小さな相違によって影響を受け、その他の部分、たとえば口もとや鼻は大まかな分類にしたがってさえいれば相違を際立たせない、という独自の考えに基づいている。また、その目および眉についても、購入者の実物の顔画像のデータによるのではなく、類型化された眉パターンおよび目パターンにより近似する。このため、顔のすべての構成部分を印刷することなく、目パターンおよび眉パターンのみを印刷する。このため、印刷装置は非常に簡単なものですみ、また印刷時間も短いものとなる。
【００２６】
その他の部分、すなわち鼻、口もと、輪郭は、図２に示すように、大きく分類した顔型６に類型化したものとする。この立体形状の顔型５は、上述のように、顔型５を分類して収納した顔型収納容器１５に収納されている。
【００２７】
図３は、販売機本体１０ａのパソコン３に装入されるＣＤに搭載されるデータおよび処理ソフトの内容を示す図である。データベースとしては、上記顔型の正面図、目パターン、眉パターン、眼がね、髪型、胴体衣装部を備える。また、処理ソフトとしては、撮像装置で撮像された画像に基づいて、顔型と、目パターンおよび眉パターンとを選択する選択基準ソフトと、その目パターンおよび眉パターンを配置する配置基準ソフトとを備える。これら選択基準ソフトおよび配置基準ソフトは自動選択ソフトを構成する。上記のほかに、まぶたが二重であるとか、上記の顔型や眉、目パターンを選択するとき補完するデータを入力する補完データ入力ソフトを有していてもよい。
【００２８】
また、処理ソフトとして、そのほか上記の自動選択ソフトに基づいて構成された顔人形の正面図を形成する顔人形正面図形成ソフトが必要である。さらに、この顔人形の正面図に対して変更を加える場合、変更ソフトが含まれる。購入者が髪型および胴体衣装部を選択する場合に必要とされる購入者選択ソフトも搭載される。また、最終的に顔人形を確認して決定するソフトも必要である。さらに、この確認と決定とに基づいて顔型５を顔型収納容器１５から取り出す顔型分別取出装置２５を駆動制御する顔型取出制御ソフトも含まれる。さらに、髪型６および胴体衣装部７をそれぞれの容器から取り出す髪型取出装置２６および胴体衣装部分別取出装置２７を駆動制御する髪型取出ソフトおよび胴体衣装取出衣装も搭載される。上記の処理ソフトのうち、購入者選択ソフト、変更ソフトなど所定のソフトには、ディスプレイ上に購入者に選択肢や変更の要否を質問するための選択肢を表示するソフトなども含まれる。
【００２９】
これらは、人形キット販売機のなかのハードとしての部品や駆動装置とともに、取出手段などの各手段を構成する。
【００３０】
さらに詳しく説明すると、上記の自動選択ソフトにおいては、画像の顔の輪郭を楕円形に近似し、また鼻および唇の輪郭から顔型を選択する。また、上記の配置基準を構成するソフトにより、撮像画像を基にして、目および眉の輪郭を近似して、かつ上記のように二重まぶたなどは別途購入者に入力してもらい目パターンおよび眉パターンを選択する。目パターンおよび眉パターンの配置は、両眼の黒目と唇中心とを結ぶ逆三角形などをもとに目パターンの配置を決める。眉パターンは上記の逆三角形と目パターンの配置とから簡単に決めることができる。
【００３１】
図４は、選択の対象となる、類型化されてデータベースに入れられた（ａ）〜（ｔ）の複数の目パターンを示す図である。また、図５は、選択の対象となる、類型化された（ａ）〜（ｌ）の複数の眉パターンを示す図である。これらの目パターンおよび眉パターンの他に、図６（ａ）〜（ｃ）に示すように、眼がねをかけさせることもできる。
【００３２】
図７（ａ）〜（ｎ）は、上記のようにして形成された各種の顔人形の正面図を示す図である。このように多くの顔人形を示す理由は、本発明の顔人形の考え方の本質を明らかにするためである。上記のように多くの種類の顔型に、多くの種類の目パターンおよび眉パターンを配置しても、一人の人間の顔にそっくりの顔を形成することは写実性を追求するかぎり容易ではない。本発明では、写実性の追及よりは、類型化された顔の中に、一人の人間の顔の特徴が出ることを目標に上記人形キット販売機を構成している。このため、類型化された顔型に、類型化された目パターンおよび眉パターンのみを印刷する。すなわち、購入者の撮像画像を基にするのではなく、ディスプレイ上の類型化された顔人形を手本にして印刷する。この結果、個人によって千差万別な顔の特徴を写実性に基づいて追求せず、類型化により特徴を抽出することができる。この結果、顔の特徴の符合性と、非類似性または意外性との両方を楽しむことができる。
【００３３】
また、上記の印刷は簡単な印刷であり、印刷機は、従来のように、撮像画像をお手本に顔の特徴を写実に基づいて追求する場合に比べて、簡単なものですますことができる。また、印刷時間も、従来の考え方に沿うものに比べて短時間とすることができる。
【００３４】
図８は、上記人形キット販売機の動作を説明する図である。購入者は、まず撮像装置で自分の顔を撮像する。その画像に基づいて、ＣＤからの自動選択ソフトにより顔型と、目パターンおよび眉パターンとを選択し、配置基準ソフトにより顔型に目パターンおよび眉パターンを配置し、その顔人形の正面図をディスプレイ上に表示する。購入者は、確認してその顔人形が意に添うものであれば、イエスの決定を行なう。また、変更が必要と判断した場合（ノーの判断）は、そこで変更を行なう。その結果、確認してイエスとなった場合はイエスの入力を行なう。
【００３５】
次いで、購入者は購入者選択ソフトによりディスプレイに表示された選択肢にタッチして、髪型と胴体衣装部との選択を行なう。購入者が髪型および胴体衣装部の選択を行なっている間、上記販売機では、イエスとされたディスプレイに表示された顔人形を作製する作業を行なう。すなわち、顔型分別取出装置を顔型取出ソフトなどにより駆動制御してディスプレイの顔人形の顔型と同じ立体形状の顔型を、顔型収納容器から取り出す。次いで、印刷機によりディスプレイ上の顔人形の目または眉のパターンおよび配置になるように印刷する。
【００３６】
上記の髪型、胴体衣装部および印刷された顔人形は、パッケージ装置３２により袋に封入され、提供口に提供される。この後、購入者は、都合のよい時と場所とにおいて、袋からキット部品を出して、顔人形に髪型をかぶせ、胴体衣装部の首を顔人形に挿入し、人形を形成する。購入者は、このとき、その表情を確認し、楽しむことができる。この後、購入者は上記の人形を携帯電話器のストラップやドリンクの栓などにアクセサリとして取り付けることができる。
【００３７】
図９は、上記人形キット販売機で行なわれる処理の流れを示すフローチャートである。上記の図８について説明した販売機の処理フローに対応するフローチャートである。図９に示すフローチャートにおいて、髪型および胴体衣装部を選択した後、それら髪型および胴体衣装部を先に選択した顔人形に装着した人形をディスプレイに表示して、髪型および胴体衣装部の少なくとも一方の選択の変更を行なってもよい。すなわち、髪型および胴体衣装部の選択の後、顔人形にそれらを装着した人形を表示し、確認して決定する判断処理を挿入し、意に添わなければ、上記髪型および胴体衣装部の選択の前に戻すループを設けてもよい。
（実施の形態２）
上記実施の形態１では、インクを用いた印刷器により顔型に眉、目パターンを印刷した。しかしながら、眉、目パターンを印刷によって形成する場合、インクによる沁み出しや不完全乾燥インクに接触した場合のこすれパターンの発生などの問題が生じる。また、インクに用いられる溶剤が人形キット販売機の内部に充満し、利用者に異臭を感じさせたり、また発火や引火のおそれも皆無ではない。
【００３８】
上記のようなおそれが強い場合、本発明の実施の形態２の人形キット販売機は有効である。本発明の実施の形態２では、実施の形態１における顔型を多層構造を有するように形成し、実施の形態１における印刷の代わりに削り出しを行なうだけで他の装置部分および工程は実施の形態１と同じである。
【００３９】
図１０は、本発明の実施の形態２における顔型を示す図である。顔型５は、内部の白色部５ａと、その白色部５を覆う黒色層５ｂと、その黒色層５ｂを覆う肌色層５ｃと、さらに眉の部分のみを覆う黒色層５ｄとを有している。立体削り出し装置としては、例えば、ローランド社ＥＧＸ-３００のデスクトップ彫刻装置を用いることができる。
【００４０】
図１１（ａ）は、図１０の正面図である。眉の部分には矩形の黒色層５ｄが設けられている。他の部分は肌色層５ｃが露出している。図１１（ｂ）は、図１１（ｅ）に示す複数の眉パターンから選択された眉パターンにしたがって、上記立体削り出し装置により一方の眉について削り出した状態を示す図である。削り出し深さは、黒色層５ｄを落とし、肌色層５ｃが露出するレベルで止める。
【００４１】
次に目パターンを削り出す。図１１（ｃ）は、図１１（ｆ）に示す複数の目パターンのうちから選択された目パターンにしたがって、目全体の輪郭を削り出した状態を示す図である。削り出し深さは、肌色層５ｃを落とし、黒色層５ｂのレベルで止める。次に、図１１（ｄ）に示すように、白目の部分および黒目の中の光っている部分を削り出す。削り出す深さは、黒色層５ｂを落とし白色部５ａに届くようにする。
【００４２】
図１２は、本実施の形態におけるプロセスのフローチャートを示す図である。実施の形態１と比べて、印刷工程を削り出し工程に置き換えるだけで他の工程は同じである。
【００４３】
上記のように、顔型を多層構造にして削り出し装置により眉、目パターンを形成することにより、インクを不要にできるので、インクの補充や目詰まりなどのメンテナンス費用を格段に低下させることができる。また、全て電動制御で削り出すのでインクを飛翔させることがないため故障頻度も非常に小さくなる。さらにインクの溶剤などに起因する引火、発火などのおそれをなくすことができる。
【００４４】
上記において、本発明の実施の形態について説明を行なったが、上記に開示された本発明の実施の形態は、あくまで例示であって、本発明の範囲はこれら発明の実施の形態に限定されない。本発明の範囲は、実用新案登録請求の範囲の記載によって示され、さらに実用新案登録請求の範囲の記載と均等の意味および範囲内でのすべての変更を含むものである。
【産業上の利用可能性】
【００４５】
本発明の人形キット販売機を用いることにより、短時間の待ち時間ですみ、プリクラに親しんだ利用者にも満足してもらえる遊び心に富んだ人形キットを提供することができ、かつ眉、目パターンの削り出し装置を用いることにより維持費用の低減、安全性の向上を確保できるので、社会に広く利用されることが期待される。
【図面の簡単な説明】
【００４６】
【図１】本発明の実施の形態１における人形キット販売機を示す図である。
【図２】（ａ）〜（ｉ）はそれぞれ類型化された立体形状の顔型の正面図である。
【図３】ＣＤに搭載されるデータおよび処理ソフトの一部を示す図である。
【図４】（ａ）〜（ｔ）はそれぞれ類型化された目パターンを示す図である。
【図５】（ａ）〜（ｌ）はそれぞれ類型化された眉パターンを示す図である。
【図６】（ａ）〜（ｃ）はそれぞれ類型化された眼がねパターンを示す図である。
【図７】（ａ）〜（ｎ）はそれぞれ選択された顔型に目パターンおよび眉パターンが配置された顔人形を示す図である。
【図８】本発明の実施の形態の人形キット販売機の動作を説明する図である。
【図９】本発明の実施の形態１における人形キット販売機の動作のフローチャートである。
【図１０】本発明の実施の形態２における顔型を示す断面図である。
【図１１】本発明の実施の形態２において顔型に眉、目パターンを形成する工程を示す図であり、（ａ）は顔型の正面、（ｂ）は眉パターンを削り出した状態、（ｃ）は目の全体輪郭を削り出した状態、（ｄ）は目パターンを削り出した状態、（ｅ）は複数の眉パターンおよび選択された眉パターン、（ｆ）は複数の目パターンおよび選択された目パターンを、それぞれ示す図である。
【図１２】本発明の実施の形態２における人形キット販売機の動作のフローチャートである。
【符号の説明】
【００４７】
１  ディスプレイ、２  撮像装置、３  パソコン、４  印刷装置、５  顔型、５ａ  顔型の白色部、５ｂ  黒色層、５ｃ  肌色層、５ｄ  眉部分を覆う黒色層、６  髪型、７  胴体衣装部、１０  人形キット販売機、１０ａ  販売機本体、１０ｂ  垂れ幕、１１  提供口、１５  顔型収納容器、１６  髪型収納容器、１７  胴体衣装部収納容器、１８  ＣＤ、２５  顔型分別取出装置、２６  髪型分別取出装置、２７  胴体衣装部分別取出装置、３１  傾斜部、３２  パッケージ装置。
【図１】
2004362540.tif 000003
【図２】
2004362540.tif 000004
【図３】
2004362540.tif 000005
【図４】
2004362540.tif 000006
【図５】
2004362540.tif 000007
【図６】
2004362540.tif 000008
【図７】
2004362540.tif 000009
【図８】
2004362540.tif 000010
【図９】
2004362540.tif 000011
【図１０】
2004362540.tif 000012
【図１１】
2004362540.tif 000013
【図１２】
2004362540.tif 000014